(57)【要約】【課題】保健指導対象者に対する保健指導サービスの質を向上させる技術を提供する。【解決手段】保健指導対応者に対応する端末とネットワークを介して接続され、保健指導対象者に対する保健指導を支援する保健指導支援装置において、生体データ受信手段がネットワークを通じて前記保健指導対象者の生体データを受信し、前記生体データ受信手段により受信された前記生体データに基づいて作成手段が前記保健指導対象者に対する保健指導事項を示す保健指導情報を作成し、前記作成手段により作成された前記保健指導情報を送信手段が前記保健指導対象者に対応する指導対象者端末に送信する。【選択図】図１
2009187100.tif 000002
【特許請求の範囲】
【請求項１】
保健指導対象者に対応する指導対象者端末とネットワークを介して接続され、該保健指導対象者に対する保健指導を支援する保健指導支援装置であって、
前記ネットワークを通じて前記保健指導対象者の生体データを受信する生体データ受信手段と、
前記生体データ受信手段により受信された前記生体データに基づいて前記保健指導対象者に対する保健指導事項を示す保健指導情報を作成する作成手段と、
前記作成手段により作成された前記保健指導情報を前記指導対象者端末に送信する送信手段と、
を有する保健指導支援装置。
【請求項２】
前記保健指導支援装置は前記保健指導対象者を指導する保健指導者に対応する指導者端末に前記ネットワークを介して更に接続され、
前記送信手段は、前記指導者端末に更に送信する、請求項１に記載の保健指導支援装置。
【請求項３】
前記保健指導情報は、前記保健指導対象者の生活習慣に関して改善すべき事項を示す生活改善情報を含み、
前記ネットワークを通じて前記保健指導対象者の生活習慣を示す生活習慣情報を受信する生活習慣受信手段を更に有し、
前記作成手段は、前記生体データ受信手段により受信された前記生体データと前記生活習慣受信手段により受信された前記生活習慣情報とに基づいて前記生活改善情報を作成する、請求項１または２に記載の保健指導支援装置。
【請求項４】
前記保健指導情報は、前記保健指導対象者の健康悪化について警告する内容を示す健康悪化警告情報を含み、
前記作成手段は、前記生体データ受信手段により受信された前記生体データに基づいて前記保健指導対象者の健康状態が悪化したか否かを判断し、悪化したと判断した場合に前記健康悪化警告情報を作成する、請求項１乃至３のいずれか１項に記載の保健指導支援装置。
【請求項５】
前記保健指導情報は、前記保健指導対象者の前記生体データが更新されないことにについて警告する内容を示す更新警告情報を含み、
前記作成手段は、前記生活習慣受信手段が、一定期間以上前記生活習慣情報を受信できない場合に前記更新警告情報を作成する、請求項１乃至４のいずれか１項に記載の保健指導支援装置。
【請求項６】
前記生体データは血圧計の測定値である、請求項１乃至５のいずれか１項に記載の保健指導支援装置。
【請求項７】
前記生体データは、血圧計、歩数計、体重体組成計、腹囲計、血糖計、または血流計のうち２以上の生体センサの測定値を含む、請求項１乃至５のいずれか１項に記載の保健指導支援装置。
【請求項８】
ネットワークを通じて保健指導対象者の生体データを受信し、受信した該生体データに基づいて該保健指導対象者に対する保健指導事項を示す保健指導情報を作成し、作成した該保健指導情報を該保健指導対象者に対応する指導対象者端末に送信するサーバと、
前記サーバより送信された前記保健指導情報を受信する、前記指導対象者端末と、
を有する保健指導支援システム。
【請求項９】
保健指導対象者に対応する指導対象者端末とサーバとがネットワークを通じて接続された保健指導支援システムにおける、該保健指導対象者に対する保健指導を支援するための保健指導支援方法であって、
前記サーバが前記ネットワークを通じて前記保健指導対象者の生体データを受信し、
受信した前記生体データに基づいて前記保健指導対象者に対する保健指導事項を示す保健指導情報を作成し、
作成した前記保健指導情報を前記指導対象者端末に送信する、保健指導支援方法。
【請求項１０】
保健指導対象者に対応する指導対象者端末にネットワークを介して接続されたコンピュータに、
前記ネットワークを通じて前記保健指導対象者の生体データを受信する生体データ受信手順、
前記生体データ受信手順により受信された前記生体データに基づいて前記保健指導対象者に対する保健指導事項を示す保健指導情報を作成する作成手順、および
前記作成手順により作成された前記保健指導情報を前記指導対象者端末に送信する送信手順、
を実行させるためのプログラム。
【発明の詳細な説明】
【技術分野】
【０００１】
本発明は、保健指導者による保健指導対象者に対する保健指導を支援する技術に関する。
【背景技術】
【０００２】
非特許文献１に開示されているように、平成２０年度から厚生労働省は医療保健者に対する特定健診および特定保健指導の義務化を推進している。そして、当該保健指導においては生活習慣病の引き金となるメタボリックシンドローム予備軍、特に「積極的支援」（３ヶ月から６ヶ月の具体的な支援プログラムの対象となる場合）の対象者に行動変容を促し、その内臓脂肪を減らすことを目的としている。
【０００３】
この状況を鑑みて、各社は、非特許文献２に開示されているように、体重や腹囲を減らすための運動を促す機器やその機器を用いた保健指導を支援するサービスシステムを開発し、または保健指導サービスを提供しようとしている。
【０００４】
或いは、非特許文献３に開示されているように、健康意識の高まりから、健康機器を購入した個人に対して、日々測定し登録されたバイタルデータを基に専門家からアドバイスを定期的に返す保健指導サービスも提供されている。
【０００５】
上記した保健指導サービスは、例えばメタボリックシンドロームに特化したメニューであり、歩数計や体重計といった生体センサを用いて日々の歩数や体重の管理をするものが多い。また、歩数や体重の他に、日々の血圧値や心電波形も管理し、それらの生体データから一般的なアドバイスを返す保健指導サービスが殆どである。
【０００６】
義務化の対象となる特定保健指導においては、まず効果的な保健指導が必要である。メタボリックシンドローム予備軍は全国で約５６００万人、メタボリックシンドロームが引き金となる生活習慣病の中で高血圧症は約３６００万人で他の糖尿病，高脂血症の倍の有症者がおり、特に血圧に主眼を置いた保健指導サービスが非常に有益である。また、生活習慣病が発症する背景には、生活習慣の乱れがある。このため、各人が自分の生活習慣を客観的に把握し、その改善に向けての取り組み項目を明確にすることが重要である。
【０００７】
同時に、膨大な数の保健指導対象者に対する効率的な保健指導が求められている。具体的な保健指導内容を大量に生成する必要がある。更に特定保健指導においては、保健指導の半ばで保健指導対象者が脱落する所謂ドロップアウトが必ず発生する。保健指導対象者が少人数である場合は手厚いケアが出来るが、膨大な数の保健指導対象者を抱える場合はフォローが困難である。保健指導対象者の健康状態が悪化した場合，それをいち早く検知することも難しいといえる。
【非特許文献１】"生活習慣病予防（健康づくり）特集"、厚生労働省、「ｏｎｌｉｎｅ」、「平成１９年１２月２８日検索」、インターネット<ＵＲＬ：http://www.mhlw.go.jp/bunya/kenkou/seikatsu/index.html>
【非特許文献２】"松下電工は生活習慣改善のためのメタボリック・ソリューションビジネスに参入保健指導者向け「身体活動量計 アクティマーカー」「解析ソフト」 新発売"、松下電工株式会社、「ｏｎｌｉｎｅ」、「平成１９年１２月２８日検索」、インターネット<ＵＲＬ：http://www.mew.co.jp/corp/news/0708/0708-16.htm>
【非特許文献３】"カラダのみはり番ネット"、株式会社東芝、「ｏｎｌｉｎｅ」、「平成１９年１２月２８日検索」、インターネット<ＵＲＬ：http://mihariban.com/aag/karada/>
【発明の開示】
【発明が解決しようとする課題】
【０００８】
しかし、非特許文献１に開示された保健指導では、一般的な保健指導がほとんどで各個人のケースに合った細かい指導がなされているとはいえない。また、非特許文献２または３に開示された技術では、多数の被保健者の中で保健指導の半ばで脱落した被保健者へのケアが困難である。よって、保健指導対象者に対し、十分に質の高い保健指導サービスを提供できないという問題があった。
【０００９】
上述した問題を鑑みて、本発明は、保健指導対象者に対する保健指導サービスの質を向上させる技術を提供することを目的とする。
【課題を解決するための手段】
【００１０】
上記目的を達成するために、本発明の保健指導支援装置は、保健指導対象者に対応する指導対象者端末とネットワークを介して接続され、該保健指導対象者に対する保健指導を支援する保健指導支援装置であって、前記ネットワークを通じて前記保健指導対象者の生体データを受信する生体データ受信手段と、前記生体データ受信手段により受信された前記生体データに基づいて前記保健指導対象者に対する保健指導事項を示す保健指導情報を作成する作成手段と、前記作成手段により作成された前記保健指導情報を前記指導対象者端末に送信する送信手段と、を有する。
【００１１】
本発明の保健指導支援システムは、ネットワークを通じて保健指導対象者の生体データを受信し、受信した該生体データに基づいて該保健指導対象者に対する保健指導事項を示す保健指導情報を作成し、作成した該保健指導情報を該保健指導対象者に対応する指導対象者端末に送信するサーバと、前記サーバより送信された前記保健指導情報を受信する、前記指導対象者端末と、を有する。
【００１２】
本発明の保健指導支援方法は、保健指導対象者に対応する指導対象者端末とサーバとがネットワークを通じて接続された保健指導支援システムにおける、該保健指導対象者に対する保健指導を支援するための保健指導支援方法であって、前記サーバが前記ネットワークを通じて前記保健指導対象者の生体データを受信し、受信した前記生体データに基づいて前記保健指導対象者に対する保健指導事項を示す保健指導情報を作成し、作成した前記保健指導情報を前記指導対象者端末に送信する。
【００１３】
本発明のプログラムは、保健指導対象者に対応する指導対象者端末にネットワークを介して接続されたコンピュータに、前記ネットワークを通じて前記保健指導対象者の生体データを受信する生体データ受信手順、前記生体データ受信手順により受信された前記生体データに基づいて前記保健指導対象者に対する保健指導事項を示す保健指導情報を作成する作成手順、および前記作成手順により作成された前記保健指導情報を前記指導対象者端末に送信する送信手順、を実行させる。
【発明の効果】
【００１４】
本発明によれば、保健指導対象者に対する保健指導サービスの質を向上させることができる。
【発明を実施するための最良の形態】
【００１５】
本発明を実施するための形態について図面を参照して詳細に説明する。
【００１６】
図１は、本実施形態の保健指導支援システム１の構成を示す全体図である。保健指導支援システム１は、保健指導対象者に対する保健指導サービスを支援する。同図を参照すると、保健指導支援システム１は、保健指導支援サーバ１０、生体センサ１１、端末１２、およびネットワーク１３を有する。
【００１７】
保健指導支援サーバ１０は、端末１２より得られた情報に基づいて、保健指導対象者に対する保健指導を支援するコンピュータである。保健指導支援サーバ１０は、端末１２から送信されるデータに基づいて保健指導対象者に対する保健指導事項を作成し、作成した事項を示すデータを端末１２に送信する。保健指導事項の内容については後述する。
【００１８】
生体センサ１１は、保健指導対象者の生体データを測定し、測定したデータを端末１２に送信する。生体センサ１１は、例えば血圧計である。また、生体センサ１１は、１つのセンサに限らず、血圧計、歩数計、体重体組成計（体重と脂肪率などを計測する計器）、腹囲計、血糖計、または血流計等のうち２以上の生体センサを有してもよい。生体データはこれらのセンサの測定値を示すデータである。図２に生体データ１０４１の一例を示す。同図を参照すると、生体データ１０４１は保健指導者対象者ごとに１または複数の測定項目を有し、各測定項目は１または複数の測定日時および測定値を有する。測定項目は、例えば血圧計が測定する収納期血圧（最高血圧）、歩数計が測定する歩数である。
【００１９】
生体センサ１１の全て、または一部の測定値を保健指導対象者が端末１２、保健指導支援サーバ１０に手動で入力する構成としてもよい。また、生体センサ１１は、測定したデータを、端末１２を経由せず、直接保健指導支援サーバ１０に送信してもよい。
【００２０】
生体センサ１１は、血圧値等の生体データの測定機能を有している装置であれば、その種類を問わない。例えば、歩数の計測機能を有する携帯電話や、血圧計と接続されたＰＤＡ(Personal Data Assistance)などであってもよい。
【００２１】
端末１２は、生体センサ１１から生体データ１０４１を受信し、保健指導対象者による自己申告事項を示す自己申告データの入力を受け付ける。自己申告事項の内容については後述する。そして、端末１２は、受信した生体データと入力された自己申告データとを保健指導サーバに送信する。また、端末１２は保健指導支援サーバ１０から送信された保健指導事項を表示する。端末１２は、主として保健指導対象者により使用されるため、保健指導対象者の人数をカバーできる台数が設けられる。例えば、端末１２としてデータ入力機能、通信機能、または表示機能を備えるパソコン、携帯電話などを使用する。
【００２２】
保健指導対象者に加え、保健指導者に対しても保健指導支援サービスを提供する場合、保健指導者の人数をカバーする台数の端末１２を更に設ける。
【００２３】
ネットワーク１３には、保健指導支援サーバ１０と端末１２とが接続される。ネットワーク１３として例えば、ＩＰ（Internet Protocol）ネットワークを用いる。
【００２４】
上述した構成により、保健指導支援サーバ１０に生体センサ１１の測定データ、端末１２に入力されたデータが送信され、保健指導支援サーバ１０は受信したデータに基づいて保健指導事項を作成して、当該事項を示すデータを端末１２に送信する。
【００２５】
保健指導支援サーバ１０の構成について説明する。図１を参照すると、保健指導支援サーバ１０は、受信部１０１、保健指導事項作成部１０３、および送信部１０５を有する。
【００２６】
受信部１０１は、端末１２より生体データ１０４１と自己申告事項を示すデータとを受信する。
【００２７】
受信部１０１の受信する自己申告事項について図３および図４を参照して説明する。自己申告事項は、端末１２に表示された質問事項に対し、保健指導対象者が端末１２に入力した回答事項である。この質問事項は保健指導事項に含まれる。この質問事項は保健指導支援サーバ１０により作成され、保健指導対象者の使用する端末１２に送信される。
【００２８】
質問事項を示すデータは、保健指導支援サーバ１０が作成し、端末１２に送信するのでなく、予め端末１２に入力されている構成とすることもできる。
【００２９】
図３は、端末１２における質問事項が表示された画面の一例を示す図である。同図を参照すると、保健指導の対象とすべき生活習慣に関する複数の質問事項が、複数のカテゴリに分類されて設けられている。例えば、同図に示すように、カテゴリとして「塩分」、「飲酒」等が設けられ、各カテゴリに「質問１：インスタント食品を良く食べますか」などの質問事項と回答欄とが設けられている。
【００３０】
保健指導対象者は、図３に示した質問事項に対し、回答を入力する。この入力データを端末１２は自己申告データとして保健指導支援サーバ１０に送信する。自己申告データ１０４２の一例を図４に示す。同図を参照すると、自己申告データ１０４２は、保健指導対象者ごとに複数のカテゴリを有し、各カテゴリは図３で示した質問番号と保健指導対象者の入力した回答とを有する。例えば、図３で「塩分」カテゴリの「質問１」（「インスタント食品を良く食べますか」）に対し、保健指導対象者が「はい」という回答を入力した場合、図４に示すように、自己申告データ１０４２は当該保健指導対象者の「塩分」カテゴリにおける「質問１」の解答欄に「はい」を含むデータとなる。
【００３１】
図１に戻り、保健指導事項作成部１０３は、受信部１０１の受信したデータ（生体データ、自己申告データ）に基づいて保健指導事項を作成する。同図を参照すると、保健指導事項作成部１０３は、データベース１０３１、診断部１０３３、グラフ作成部１０３５、生活改善事項作成部１０３７、および警告文作成部１０３９を有する。
【００３２】
データベース１０３１は、受信部１０１の受信したデータ（生体データ１０４１、自己申告データ１０４２）と、保健指導事項作成部１０３が作成したデータの一部または全てと、を記憶する。例えば、データベース１０３１としてＨＤＤ（Hard Disk Drive）、ＳＳＤ(Solid State Drive)等の記憶媒体を使用する。図５にデータベース１０３１が記憶する情報の一例を示す。同図を参照すると、データベース１０３１は、生体データ１０４１、自己申告データ１０４２、保健指導事項１０４３、医療データ１０４４、および指導パターン１０４５を有する。生体データ１０４１は図２に例示したデータ、自己申告データ１０４２は図４に例示したデータである。
【００３３】
保健指導事項１０４３について図６を参照して説明する。保健指導事項１０４３は、保健指導支援システム１が提供する保健指導サービスにおいて、保健指導対象者に対して提示される事項を示すデータである。図６は保健指導事項１０４３の構成を示す図である。同図を参照すると、保健指導事項１０４３は、質問事項１０４３Ａ、診断結果データ１０４３Ｂ、グラフデータ１０４３Ｃ、生活改善事項１０４３Ｄ、および警告文１０４３Ｅを有する。
【００３４】
質問事項１０４３Ａは、図３に例示した事項を端末１２に表示させるためのデータである。診断結果データ１０４３Ｂは、図１における診断部１０３３が保健指導対象者の健康状態を分析した結果を示すデータである。グラフデータ１０４３Ｃは、グラフ作成部１０３５が作成した図や表を端末１２に表示させるためのデータである。生活改善事項１０４３Ｄは、生活改善事項作成部１０３７が作成した、生活習慣に関して保健指導対象者が改善すべき事項を示すデータである。警告文１０４３Ｅは、警告文作成部１０３９が作成した保健指導対象者に対する警告内容を示すデータである。
【００３５】
図５に戻り、医療データ１０４４は、予め入力されている保健指導対象者の健康状態に関するデータである。例えば、医療データ１０４４は、保健指導対象者ごとに健康診断の測定結果と、医師による診断結果とを有する。また、医療データ１０４４は、生体センサ１１の測定値に関する正常な範囲を示す基準値を有する。
【００３６】
指導パターン１０４５は、保健指導対象者の生活習慣を改善するための具体的な指導内容に関するデータである。
【００３７】
図１に戻り、診断部１０３３は、生体データ１０４１に基づき保健指導対象者の健康状態を分析する。グラフ作成部１０３５は、生体データ１０４１に基づき端末１２に表示させる図表を作成する。生活改善事項作成部１０３７は、生体データ１０４１および自己申告データ１０４２に基づき、生活習慣に関して保健指導対象者が改善すべき事項を作成する。警告文作成部１０３９は、生体データ１０４１または診断部１０３３が分析した健康状態に基づき、保健指導対象者に対する警告内容を作成する。
【００３８】
送信部１０５は、保健指導事項作成部１０３により作成された保健指導事項１０４３を、保健指導対象者の端末１２へ送信する。
【００３９】
上述した構成により、保健指導支援サーバ１０は、受信部１０１が受信した生体データ１０４１および自己申告データ１０４２に基づいて、保健指導事項１０４３を作成し、当該データを端末１２に送信する。
【００４０】
次に、保健指導支援サーバ１０の動作について図７〜図１２を参照して説明する。
【００４１】
図７は保健指導支援サーバ１０の実行する、保健指導支援処理を示したフローチャートである。保健指導支援サーバ１０は、例えば、当該装置に実装された所定のプログラムの実行により保健指導支援処理を開始する。同図を参照すると、まず、受信部１０１は生体データ１０４１および自己申告データ１０４２を受信し、保健指導支援サーバ１０はデータベース１０３１に受信したデータを格納する（ステップＳ１）。保健指導事項作成部１０３は保健指導事項１０４３を作成するための保健指導事項作成処理を開始する（ステップＳ３）。そして、送信部１０５は、ステップＳ３で作成された保健指導事項１０４３を保健指導対象者の端末１２に送信する（ステップＳ５）。
【００４２】
保健指導事項作成処理について図８を参照して説明する。図８は、保健指導事項作成部１０３の実行する、保健指導事項作成処理を示したフローチャートである。同図を参照すると、まず、診断部１０３３は、保健指導対象者の健康状態を分析するための診断処理を実行する（ステップＳ３１）。グラフ作成部１０３５は、生体データ１０４１に基づき、端末１２に表示させるためのグラフデータ１０４３Ｃを作成する（ステップＳ３３）。例えば、生体データ１０４１における測定値を縦軸に測定日時を横軸とした折れ線グラフを作成する。作成する図表は棒グラフ、円グラフ等、任意である。
【００４３】
生活改善事項作成部１０３７は、生体データ１０４１および自己申告データ１０４２に基づき、生活習慣に関して改善すべき事項を列挙した生活改善事項１０４３Ｄを保健指導対象者ごとに作成する（ステップＳ３５）。
【００４４】
警告文作成部１０３９は、生体データ１０４１および診断部１０３３により分析された健康状態に基づいて保健指導対象者に対する警告文１０４３Ｅを作成する（ステップＳ３７）。ステップＳ３７の後、保健指導事項作成部１０３は、保健指導事項作成処理を終了する。
【００４５】
図９〜図１１を参照して診断処理について説明する。図９は、診断部１０３３の実行する診断処理（ステップＳ３１）を示すフローチャートである。同図を参照すると、診断部１０３３は、血圧型診断処理を実行し（ステップＳ３１１）、血糖値診断処理を実行する（ステップＳ３１３）。ステップＳ３１３の後、診断部１０３３は診断処理を終了する。
【００４６】
図１０を参照して血圧型診断処理について説明する。図１０は、診断部１０３３の実行する、血圧型診断処理を示したフローチャートである。同図を参照すると、まず、診断部１０３３は、データベース１０３１から保健指導対象者の血圧に関する最新の生体データ１０４１および医療データ１０４４を読み出す（ステップＳ３１１１）。具体的には、読み出す生体データ１０４１には、朝、夜の家庭内血圧値を含む。読み出す医療データ１０４４には、医師の血圧についての診断結果と、健康診断時の血圧値と、高血圧または低血圧と判断するための基準値とを含む。
【００４７】
診断部１０３３は、医師に高血圧型と診断されたか否かを判断する（ステップＳ３１１２）。医師に高血圧型と診断されていない場合（ステップＳ３１１２：ＮＯ）、診断部１０３３は、健康診断時の血圧値が高血圧基準値を超えておらず、且つ、家庭内血圧値（朝または夜）が高血圧基準値を超えているか否かを判断する（ステップＳ３１１３）。健康診断時の血圧値が高血圧基準値を超えておらず、且つ、家庭内血圧値（朝または夜）が高血圧基準値を超えている場合（ステップＳ３１１２：ＹＥＳ）、診断部１０３３は、保健指導対象者の血圧型は「仮面高血圧のおそれ」であると判断する（ステップＳ３１１４）。
【００４８】
健康診断時の血圧値が高血圧基準値を超えていない、若しくは、家庭内血圧値（朝または夜）が高血圧基準値を超えていない場合（ステップＳ３１１３：ＮＯ）、診断部１０３３は、朝および夜の家庭内血圧値が高血圧基準値を超えているか否かを判断する（ステップＳ３１１５）。朝および夜の家庭内血圧値が高血圧基準値を超えている場合（ステップＳ３１１５：ＹＥＳ）、または医師に高血圧型と診断されていた場合（ステップＳ３１１２：ＹＥＳ）、診断部１０３３は、保健指導対象者の血圧型は「高血圧」であると判断する（ステップＳ３１１６）。
【００４９】
朝および夜の家庭内血圧値が高血圧基準値を超えていない場合（ステップＳ３１１５：ＮＯ）、診断部１０３３は、朝の家庭内血圧値が高血圧基準値を超えているか否かを判断する（ステップＳ３１１７）。朝および夜の家庭内血圧値が高血圧基準値を超えている場合（ステップＳ３１１７：ＹＥＳ）、診断部１０３３は、保健指導対象者の血圧型は「朝高値型」であると判断する（ステップＳ３１１８）。
【００５０】
朝の家庭内血圧値が高血圧基準値を超えていない場合（ステップＳ３１１７：ＮＯ）、診断部１０３３は、夜の家庭内血圧値が高血圧基準値を超えているか否かを判断する（ステップＳ３１１９）。夜の家庭内血圧値が高血圧基準値を超えている場合（ステップＳ３１１９：ＹＥＳ）、診断部１０３３は、保健指導対象者の血圧型は「夜高値型」であると判断する（ステップＳ３１２０）。
【００５１】
夜の家庭内血圧値が高血圧基準値を超えていない場合（ステップＳ３１１９：ＮＯ）、診断部１０３３は、健康診断時の血圧値が高血圧基準値を超えているか否かを判断する（ステップＳ３１２１）。健康診断時の血圧値が高血圧基準値を超えている場合（ステップＳ３１２１：ＹＥＳ）、診断部１０３３は、保健指導対象者の血圧型は「白衣高血圧の恐れ」であると判断する（ステップＳ３１２２）。
【００５２】
健康診断時の血圧値が高血圧基準値を超えていない場合（ステップＳ３１２１：ＮＯ）、診断部１０３３は、朝および夜の家庭内血圧値が低血圧基準値を以下であるか否かを判断する（ステップＳ３１２３）。朝および夜の家庭内血圧値が低血圧基準値を以下である場合（ステップＳ３１２３：ＹＥＳ）、診断部１０３３は、保健指導対象者の血圧型は「低血圧の恐れ」であると判断する（ステップＳ３１２４）。朝または夜の家庭内血圧値が低血圧基準値を以下でない場合（ステップＳ３１２３：ＮＯ）、診断部１０３３は、保健指導対象者の血圧型は「正常範囲」であると判断する（ステップＳ３１２５）。
【００５３】
ステップＳ３１１４、Ｓ３１１６、Ｓ３１１６、Ｓ３１１８、Ｓ３１２０、Ｓ３１２２、Ｓ３１２４またはＳ３１２５の後、診断部１０３３は、血圧型診断処理を終了する。
【００５４】
図１１を参照して、血糖値診断処理について説明する。図１１は、診断部１０３３の実行する血糖値診断処理（ステップＳ３１３）を示すフローチャートである。同図を参照すると、まず、診断部１０３３は、データベース１０３１から保健指導対象者の血糖値に関する最新の生体データ１０４１および医療データ１０４４を読み出す（ステップＳ３１３１）。具体的には、読み出す生体データ１０４１は、空腹時の血糖値を含む。読み出す医療データ１０４４は、例えば糖尿病についての医師の診断結果を含む。
【００５５】
診断部１０３３は、保健指導対象者が医師に糖尿病と診断されたことがあるか否かを判断する（ステップＳ３１３２）。医師に糖尿病と診断されたことがない場合（ステップＳ３１３２：ＮＯ）、診断部１０３３は、空腹時血糖値が１１０未満であるか否かを判断する（ステップＳ３１３３）。空腹時血糖値が１１０未満である場合（ステップＳ３１３３：ＹＥＳ）、診断部１０３３は、保健指導対象者が「正常領域」にあると判断する（ステップＳ３１３４）。
【００５６】
空腹時血糖値が１１０未満でない場合（ステップＳ３１３３：ＮＯ）、診断部１０３３は、空腹時血糖値が１１０以上、１２６未満であるか否かを判断する（ステップＳ３１３５）。空腹時血糖値が１１０以上、１２６未満である場合（ステップＳ３１３５：ＹＥＳ）、診断部１０３３は、保健指導対象者が「境界領域」にあると判断する（ステップＳ３１３６）。空腹時血糖値が１２６以上である場合（ステップＳ３１３５：ＮＯ）、または医師に糖尿病と診断されたことがある場合（ステップＳ３１３２：ＹＥＳ）、診断部１０３３は、保健指導対象者が「糖尿病領域」にあると判断する（ステップＳ３１３７）。
【００５７】
ステップＳ３１３４、Ｓ３１３６、またはＳ３１３７の後、診断部１０３３は血糖値診断処理を終了する。
【００５８】
上述の血圧型診断処理（ステップＳ３１１）および血糖値診断処理（ステップＳ３１３）において、生体データ１０４１および医療データ１０４４に基づき健康状態を分析している。しかし、データベース１０３１が医療データ１０４４を有さず、生体データ１０４１のみに基づいて健康状態を分析する構成としてもよい。この場合、例えば、医療データ１０４４を読み出すステップＳ３１１２、Ｓ３１２１、Ｓ３１３２を省略する。
【００５９】
図９〜図１１で説明した診断処理の結果は、保健指導対象者ごとに診断結果データ１０４１Ｂとしてデータベース１０３１に格納され、受信部１０５により保健指導対象者の端末１２に送信される（ステップＳ５）。
【００６０】
本実施形態の診断処理では血圧および血糖値に関する健康状態の分析しか行わないが、血流値、体重、または脂肪率など、ほかの計測値に関する健康状態の分析を行ってもよいのは勿論である。
【００６１】
図１２を参照して生活改善事項作成処理（ステップＳ３５）について説明する。生活改善事項作成処理は、保健指導対象者の生活習慣についての具体的な改善事項を作成する処理である。図１２は、生活改善事項作成部１０３７が実行する生活改善事項作成処理を示すフローチャートである。同図を参照すると、生活改善事項作成部１０３７は、まず、データベース１０３１から保健指導対象者の診断結果データ１０４３Ｂおよび自己申告データ１０４２を読み出す（ステップＳ３５１）。生活改善事項作成部１０３７は、診断結果データ１０４３Ｂにおける血圧型のカテゴリを参照し、血圧型が「高血圧」、「朝高値型」、または「夜高値型」のいずれかに該当するか否かを判断する（ステップＳ３５２）。血圧型が「高血圧」、「朝高値型」、または「夜高値型」のいずれかである場合（ステップＳ３５２：ＹＥＳ）、生活改善事項作成部１０３７は、自己申告データ１０４２における塩分カテゴリの回答内容を参照し、塩分カテゴリの生活習慣を改善すべきであるか否かを判断する（ステップＳ３５３）。例えば、保健指導対象者が質問事項の半数以上に「はい」と答えていた場合に塩分カテゴリの生活習慣を改善すべきであると判断する。塩分カテゴリの生活習慣を改善すべきである場合（ステップＳ３５３：ＹＥＳ）、生活改善事項作成部１０３７は、データベース１０３１に格納された指導パターン１０４５から「指導パターン１」を読み出す（ステップＳ３５４）。「指導パターン１」は、高血圧であるにもかかわらず、塩分量の多い食生活をしている保健指導対象者に対し、生活習慣の改善を指導する内容であり、例えば、「薄味で料理をする」といった具体的な実行すべき項目が含まれている。
【００６２】
塩分カテゴリの生活習慣を改善する必要がない場合（ステップＳ３５２：ＮＯ）、または血圧型が「高血圧」、「朝高値型」、または「夜高値型」のいずれでもでない場合（ステップＳ３５２：ＮＯ）、或いはステップＳ３５４の後、生活改善事項作成部１０３７は、診断結果データ１０４３Ｂにおける血糖値のカテゴリを参照し、血糖値が「糖尿病領域」であるか否かを判断する（ステップＳ３５５）。血糖値が「糖尿病領域」である場合（ステップＳ３５５：ＹＥＳ）、生活改善事項作成部１０３７は、自己申告データ１０４２における血糖値カテゴリの回答内容を参照し、血糖値カテゴリの生活習慣を改善すべきであるか否かを判断する（ステップＳ３５６）。血糖値カテゴリの生活習慣を改善すべきである場合（ステップＳ３５６：ＹＥＳ）、生活改善事項作成部１０３７は、データベース１０３１に格納された指導パターン１０４５から「指導パターン２」を読み出す。「指導パターン２」は、糖尿病であるにもかかわらず、糖分量の多い食生活をしている保健指導対象者に対し、生活習慣の改善を指導する内容である。
【００６３】
血糖値カテゴリの生活習慣を改善する必要がない場合（ステップＳ３５６：ＮＯ）、または血糖値が「糖尿病領域」でない場合（ステップＳ３５５：ＮＯ）、或いはステップＳ３５７の後、生活改善事項作成部１０３７は生活改善事項作成処理を終了する。
【００６４】
上述の生活改善事項作成処理で作成された「指導パターン１」、「指導パターン２」は生活改善事項１０４３Ｄとして送信部１０５により保健指導対象者の端末１２に送信される（ステップＳ５）。
【００６５】
本実施形態の保健指導事項改善処理は、血圧型、血糖値のカテゴリについてしか生活改善事項を作成していないが、血流値や体重等ほかのカテゴリについて生活改善事項を作成してもよいのは勿論である。また、自己申告データ１０４２が取得されない場合、ステップＳ３５３、Ｓ３５６を省略し、診断結果データ１０４３Ｂのみに基づき生活改善事項１０４３Ｄを作成してもよい。
【００６６】
図１３〜図１５を参照して、警告文作成処理について説明する。図１３は、警告文作成部１０３９が実行する警告文作成処理を示すフローチャートである。同図を参照すると、警告文作成部１０３９は、健康悪化警告文作成処理を実行し（ステップＳ３７１）、次に更新警告文作成処理を実行する（ステップＳ３７３）。ステップＳ３７３の後、警告文作成部１０３９は警告文作成処理を終了する。
【００６７】
図１４を参照して健康悪化警告文作成処理をついて説明する。健康悪化警告文作成処理は、警告文作成部１０３９が保健指導対象者の健康状態が悪化したことについて警告文を作成する処理である。図１４は、警告文作成部１０３９が実行する健康悪化警告文作成処理を示すフローチャートである。同図を参照すると、警告文作成部１０３９は、まず、データベース１０３１から、保健指導対象者の、最新の診断結果データ１０４３Ｂと前回得られた診断結果データ１０４３Ｂとを読み出す（ステップＳ３７１１）。警告文作成部１０３９は、同じカテゴリにおいて両者を比較して最新の診断結果データ１０４３Ｂの示す健康状態が前回の健康状態よりも悪化しているか否かを判断する（ステップＳ３７１２）。例えば、血糖値に関する健康状態を「糖尿病領域」、「境界領域」、または「正常領域」であると分析した場合、「境界領域」から「糖尿病領域」へ変化した場合、あるいは「正常領域」から「境界領域」または「糖尿病領域」へ、変化した場合に、健康状態が悪化したと判断する。
【００６８】
健康状態が悪化した場合（ステップＳ３７１２：ＹＥＳ）、健康状態が悪化したことを保健指導対象者に警告する内容の警告文を作成する（ステップＳ３７１３）。警告文は、血圧型、血糖値など悪化した健康状態のカテゴリと、悪化した旨とを含む。健康状態が悪化していない場合（ステップＳ３７１２：ＹＥＳ）、またはステップＳ３７１３の後、警告文作成部１０３９は、健康悪化警告文作成処理を終了する。
【００６９】
図１５を参照して更新警告文作成処理をついて説明する。更新警告文作成処理は、警告文作成部１０３９が保健指導対象者の生体データ１０４１が一定期間更新されないことについて警告文を作成する処理である。図１５は、警告文作成部１０３９が実行する更新警告文作成処理を示すフローチャートである。同図を参照すると、警告文作成部１０３９は、まず、データベース１０３１から、保健指導対象者の最新の生体データ１０４１を読み出す（ステップＳ３７３１）。読み出す生体データ１０４１は、最後に測定された測定日時を含む。
【００７０】
警告文作成部１０３９は、生体データ１０４１の示す測定日時と、現在日時とを比較し、データが更新されていない期間が１週間以上であるか否かを判断する（ステップＳ３７３２）。１週間以上データが更新されていない場合（ステップＳ３７３２：ＹＥＳ）、警告文作成部１０３９はデータが更新されていない期間が１ヶ月以上であるか否かを判断する（ステップＳ３７３３）。データが更新されていない期間が１ヶ月以上である場合（ステップＳ３７３３：ＹＥＳ）、警告文作成部１０３９は、保健指導者および保健指導対象者に対するデータが１ヶ月以上更新されていないことを警告する内容の警告文を作成する（ステップＳ３７３４）。データが更新されていない期間が１ヶ月以上である場合は、いわゆるドロップアウトが発生していることが考えられるため、保健指導対象者に対する警告のみならず、保健指導者に対しても警告することが望ましい。
【００７１】
データが更新されていない期間が１ヶ月未満である場合（ステップＳ３７３３：ＮＯ）、警告文作成部１０３９は、保健指導対象者に対するデータが１週間以上更新されていないことを警告する内容の警告文を作成する（ステップＳ３７３５）。
【００７２】
データが更新されていない期間が１週間未満である場合（ステップＳ３７３２：ＮＯ）、またはステップＳ３７３４、或いはＳ３７３５の後、警告文作成部１０３９は更新警告文作成処理を終了する。
【００７３】
上述した警告文作成処理により作成された警告文を示すデータは、送信部１０５により保健指導者または保健指導対象者に送信される（ステップＳ５）。例えば、電子メールにより当該データが送信される。
【００７４】
健康悪化警告文作成処理のステップＳ３７３５で作成される警告文１０４３Ｅは、保健指導対象者の端末１２のみでなく、同時に保健指導者の端末１２に送信してもよい。
【００７５】
上述した処理によって、保健指導支援サーバ１０は、保健指導事項１０４３を作成し、作成したデータを保健指導者に対応する端末１２または保健指導対象者に対応する端末１２に送信する。
【００７６】
次に、図１６〜図１９を参照して本実施形態の保健指導支援システム１の動作結果の一例を示す。
【００７７】
図１６は、診断部１０３３により作成された診断結果データ１０４３Ｂの一例である。同図を参照すると、診断結果データ１０４３Ｂは、保健指導対象者ごとに複数の診断項目および診断結果を有する。診断項目は、診断処理（ステップＳ３１）で分析された健康状態のカテゴリであり、診断結果はその分析結果である。例えば、血圧型診断処理（ステップＳ３１１）において血圧型が「高血圧」と判断された場合（ステップＳ３１１６）、診断結果データ１０４３Ｂは、診断項目「血圧型」の診断結果に「高血圧」を有する。
【００７８】
図１７は、グラフ作成部１０３５の作成したグラフが表示された端末１２の画面例である。グラフ作成部１０３５は、データベース１０３１に記憶された生体データ１０４１に基づき図表を作成する（ステップＳ３３）。同図に示すように、例えば、生体データ１０４１に含まれる収納期血圧値を縦軸に、測定日時を横軸とした折れ線グラフが作成され、端末１２に表示される。
【００７９】
図１８は、生活改善事項作成部１０３７が作成した生活改善事項が表示された端末１２の画面例である。生活改善事項作成部１０３７は、カテゴリごとに生活習慣改善に関する指導内容を示した生活改善事項１０４３Ｄを作成する（ステップＳ３５）。同図に示すように、例えば、生体データ１０４１において血圧値が比較的高いにもかかわらず（ステップＳ３５２：ＹＥＳ）、自己申告データ１０４２において塩分を取りすぎる生活習慣をもつ保健指導対象者に対しては（ステップＳ３５３：ＹＥＳ）、「塩分」カテゴリ欄に「薄味で料理する」等の具体的な指導内容が表示される（ステップＳ３５４）。
【００８０】
図１９は、警告文作成部１０３９により作成される警告文１０４３Ｅの構成の一例を示した図である。警告文作成部１０３９は、保健指導対象者の健康状態が悪化したと判断した場合に（ステップＳＳ３７１２：ＹＥＳ）、健康悪化についての警告文を作成し（ステップＳ３７１３）、一定期間生体データ１０４１が更新されない場合に（ステップＳ３７３３：ＹＥＳ）、保健指導対象者に対し警告文を作成する（ステップＳ３７３４）。同図を参照すると、警告文１０４３Ｅは複数の送信先を有し、送信先ごとに複数の警告内容を有する。警告文１０４３Ｅは、例えば、血圧型が悪化したと判断された場合、警告内容に「血圧型が悪化しました」とのメッセージを有し、一定期間生体データ１０４１が更新されない場合、「一定期間データの登録ができていません」とのメッセージを有する。
【００８１】
本実施形態によれば、受信部１０３が前記保健指導対象者の生体データ１０４１を取得し、取得した前記生体データ１０４１に基づいて保健指導事項作成部１０３が前記保健指導対象者に対する保健指導事項１０４３を作成し、作成した保健指導事項１０４３を送信部１０５が保健指導対象者に対応する端末１２に送信する。この構成により、保健指導サービスにおいて保健指導対象者個人に適したケアができるので、保健指導対象者に対する保健指導サービスの質を向上させることができる。
【００８２】
なお、図２０に示すように生体センサ１１ａが警告文の表示機能を有し、健康悪化と判断された場合、端末１２に警告文１０４３Ｅを送信するだけでなく生体センサ１１ａにも警告文１０４３Ｅを送信し、生体センサ１１ａが受信した警告文１０４３Ｅの内容を表示する構成とすることもできる。この場合、警告文の表示の代わりに、アラーム等の警報を鳴らすこととしてもよい。
【００８３】
図７〜図１３に示した処理の一部または全ては、コンピュータプログラムにより実現することもできる。
【図面の簡単な説明】
【００８４】
【図１】本実施形態の保健指導支援システムの全体図である。
【図２】本実施形態の生体データの構造を示す図である。
【図３】本実施形態の端末に表示される画面を示す図である。
【図４】本実施形態の自己申告データの構成を示す図である。
【図５】本実施形態のデータベースの構成を示す図である。
【図６】本実施形態の保健指導事項の構成を示す図である。
【図７】本実施形態の保健指導支援処理を示すフローチャートである。
【図８】本実施形態の保健指導事項作成処理を示すフローチャートである。
【図９】本実施形態の診断処理を示すフローチャートである。
【図１０】本実施形態の血圧型診断処理を示すフローチャートである。
【図１１】本実施形態の血糖値診断処理を示すフローチャートである。
【図１２】本実施形態の生活改善事項作成処理を示すフローチャートである。
【図１３】本実施形態の警告文作成処理を示すフローチャートである。
【図１４】本実施形態の健康悪化警告文作成処理を示すフローチャートである。
【図１５】本実施形態の更新警告文作成処理を示すフローチャートである。
【図１６】本実施形態の診断結果データの構成を示す図である。
【図１７】本実施形態の端末に表示されるグラフの一例を示す図である。
【図１８】本実施形態の端末に表示される画面の一例を示す図である。
【図１９】本実施形態の警告文の構成を示す図である。
【図２０】変形例の全体図を示す図である。
【符号の説明】
【００８５】
１    保健指導支援システム
１０    保健指導支援サーバ
１１、１１ａ    生体センサ
１２    端末
１３    ネットワーク
１０１    受信部
１０３    保健指導事項作成部
１０５    送信部
１０３１    データベース
１０３３    診断部
１０３５    グラフ作成部
１０３７    生活改善事項作成部
１０３９    警告文作成部
１０４１    生体データ
１０４２    自己申告データ
１０４３    保健指導事項
１０４４    医療データ
１０４５    保健指導パターン
１０４３Ａ    質問事項
１０４３Ｂ    診断結果データ
１０４３Ｃ    グラフデータ
１０４３Ｄ    生活改善事項
１０４３Ｅ    警告文
Ｓ１〜Ｓ５、Ｓ３１〜Ｓ３７、Ｓ４１１〜Ｓ３１３、Ｓ３１１１〜Ｓ３１２５、Ｓ３１３１〜Ｓ３１３７、Ｓ３５１〜Ｓ３５７、Ｓ３７１〜Ｓ３７３、Ｓ３７1１〜Ｓ３７１３、Ｓ３７４〜Ｓ３７６    ステップ
【図１】
2009187100.tif 000003
【図２】
2009187100.tif 000004
【図３】
2009187100.tif 000005
【図４】
2009187100.tif 000006
【図５】
2009187100.tif 000007
【図６】
2009187100.tif 000008
【図７】
2009187100.tif 000009
【図８】
2009187100.tif 000010
【図９】
2009187100.tif 000011
【図１０】
2009187100.tif 000012
【図１１】
2009187100.tif 000013
【図１２】
2009187100.tif 000014
【図１３】
2009187100.tif 000015
【図１４】
2009187100.tif 000016
【図１５】
2009187100.tif 000017
【図１６】
2009187100.tif 000018
【図１７】
2009187100.tif 000019
【図１８】
2009187100.tif 000020
【図１９】
2009187100.tif 000021
【図２０】
2009187100.tif 000022